(57)【特許請求の範囲】
【請求項１】
１個のＬＥＤあるいは直列接続された２個以上のＬＥＤからなるＬＥＤ列の各一端が互いに接続されたＬＥＤ列回路と、このＬＥＤ列回路の各ＬＥＤ列の他端とそれぞれ直列に接続されたトランジスタを含み、これらトランジスタのうち１つのトランジスタはそのＬＥＤ列の接続点と制御電極とが接続され、出力電圧可変電源に制御電圧を印加する基準列トランジスタであり、この基準列トランジスタの制御電極を上記トランジスタの他のものの制御電極に共通接続したカレントミラー回路とが、上記出力電圧可変電源の出力端子に接続されるＬＥＤ駆動回路において、
基準列トランジスタに接続されたＬＥＤ列における開放故障を検出する開放故障検出回路と、この開放故障検出回路による故障検出出力に応答して上記カレントミラー回路の電流通路を切換える電流切換回路と、を備えたことを特徴とするＬＥＤ駆動回路。
【請求項２】
上記電流切換回路は、基準列トランジスタと上記出力電圧可変電源の接続点との間に介在されたスイッチング手段であることを特徴とする請求項１に記載のＬＥＤ駆動回路。
【請求項３】
上記電流切換回路は、正常なＬＥＤ列を上記基準列トランジスタに接続するスイッチング手段であることを特徴とする請求項１に記載のＬＥＤ駆動回路。
【請求項４】
上記電流切換回路は、開放故障に係る基準列トランジスタを実質的に切り離し上記他のトランジスタの１つを基準列トランジスタとして切換えるスイッチング手段であることを特徴とする請求項１に記載のＬＥＤ駆動回路。
【請求項５】
上記1つを除き各ＬＥＤ列ごとに上記開放故障検出回路及び電流切換回路が設けられ、
上記開放故障検出回路の出力が入力され故障検出切換後に生じた上記開放故障検出出力に応答して、予め決めた順に上記正常なＬＥＤ列の切換えを行うことを特徴とする請求項３に記載のＬＥＤ駆動回路。
【請求項６】
上記開放故障検出回路は、基準列トランジスタに接続されたＬＥＤ列における開放故障を検出する電圧比較器を備えたことを特徴とする請求項2又は３に記載のＬＥＤ駆動回路
。
【請求項７】
上記開放故障検出回路は、基準列トランジスタ及びこれと接続されたＬＥＤ列における開放故障を検出する電圧比較器を備えたことを特徴とする請求項４に記載のＬＥＤ駆動回路。
【請求項８】
上記1つを除き各ＬＥＤ列ごとに上記開放故障検出回路及び電流切換回路が設けられ、
上記開放故障検出回路の出力が入力され故障検出切換後に生じた上記開放故障検出出力に応答して、予め決めた順に上記基準列トランジスタの切換えを行うことを特徴とする請求項4に記載のＬＥＤ駆動回路。
【発明の詳細な説明】
【技術分野】
【０００１】
本発明は、配列された複数個のＬＥＤにカレントミラー回路を用いて定電流を通電させるＬＥＤ駆動回路に関する。
【背景技術】
【０００２】
例えば面配列された複数個のＬＥＤを光源とする機器は、種々見受けられる。ここで、ＬＥＤ駆動回路としては、面配列されたＬＥＤ列に、定電流を流すためのいわゆるカレントミラー回路を加えた回路装置が一般に知られる。図７は、ＬＥＤ列とカレントミラー回路からなる装置の一例を示すもので、制御電圧にて可変出力電圧を得るＤＣ−ＤＣコンバータ回路１、１個のＬＥＤあるいは直列接続された２個以上のＬＥＤからなるＬＥＤ列が複数列配列されたＬＥＤ列回路２と、ＬＥＤ列に対応した複数列をなし基準列トランジスタ３１Ｔのトランジスタベースに他列のトランジスタベースを共通接続して全列３１、３２、３３に定電流を流すカレントミラー回路３と、からなるＬＥＤ駆動回路を示す。図７の各回路を更に具体的に述べる。ＤＣ−ＤＣコンバータ回路１では、カレントミラー回路３の基準列３１のトランジスタ３１Ｔの接地抵抗３１Ｒでの電圧が印加され、この電圧を制御電圧としてこの制御電圧が一定となるように入力電圧からＬＥＤ駆動用の電源電圧である出力電圧を得るものである。ＬＥＤ列回路２は、図７では２個のＬＥＤからなる３列のＬＥＤ列２１、２２、２３が配列される構成を有し、この各ＬＥＤ列２１、２２、２３にはＤＣ−ＤＣコンバータ回路１の出力電圧が電源電圧として印加される。また、カレントミラー回路は、ＬＥＤ列回路２の各ＬＥＤ列２１、２２、２３に対応する複数列３１、３２、３３を有し、各列３１、３２、３３は、各ＬＥＤ列２１、２２、２３の通電を制御するトランジスタ３１Ｔ、３２Ｔ、３３Ｔを有し、このうち基準列トランジスタ３１Ｔではそのベースコレクタ間を短絡し、更にこの基準列トランジスタ３１Ｔのベースを他の列３２、３３のトランジスタ３２Ｔ、３３Ｔのベースに共通接続し、加えて各列には接地抵抗（エミッタ抵抗）３１Ｒ、３２Ｒ、３３Ｒを有する構造で、基準列トランジスタ３１Ｔのコレクタから分岐するベース電圧・電流とその他の各列３２、３３のトランジスタ３２Ｔ、３３Ｔのベース電圧・電流を等しくして各ＬＥＤ列に一定電流を流すものである。  
【特許文献１】特開２００２−２３７７４５号公報
【発明の開示】
【発明が解決しようとする課題】
【０００３】
ところで、上述の図７に示す先行技術にあっては、基準列のＬＥＤ列回路２１が開放故障を起こすことがある。すなわち、基準列のＬＥＤ列回路２１にあって、線路が断線し、あるいはＬＥＤが断線する等開放故障が発生することがある。この場合、基準列３１でのトランジスタ３１Ｔのコレクタは電源に接続されずベース電圧・電流が供給されない状態となる。このため、他の列３２、３３のトランジスタ３２Ｔ、３３Ｔのベース電圧・電流も供給されなくなって、すべてのＬＥＤが消灯してしまうという問題がある。
この基準列のＬＥＤ列回路の開放故障にてすべてのＬＥＤが消灯するという問題を解決できるような回路として、特許文献１に示すような回路もある。この回路では、ＬＥＤ列に接続されない基準列を含むカレントミラー回路を備えているために、基準列のＬＥＤ列回路の開放故障が発生してもすべてのＬＥＤが消灯しないようにすることができる。ところが、この基準列は、ＬＥＤを通電しない電力を消費することになるので、無駄な電力消費が生じている。
【０００４】
本発明は、上述の問題点に鑑み発明されたもので、基準列の開放故障があってもすべてのＬＥＤが消灯することなく、また無駄な電力消費をもたらす基準列をなくしたＬＥＤ駆動回路の提供を目的とする。
【課題を解決するための手段】
【０００５】
上述の目的を達成する本発明は、１個のＬＥＤあるいは直列接続された２個以上のＬＥＤからなるＬＥＤ列の各一端が互いに接続されたＬＥＤ列回路と、このＬＥＤ列回路の各ＬＥＤ列の他端とそれぞれ直列に接続されたトランジスタを含み、これらトランジスタのうち１つのトランジスタはそのＬＥＤ列の接続点と制御電極とが接続され、出力電圧可変電源に制御電圧を印加する基準列トランジスタであり、この基準列トランジスタの制御電極を上記トランジスタの他のものの制御電極に共通接続したカレントミラー回路とが、上記出力電圧可変電源の出力端子に接続されるＬＥＤ駆動回路において、基準列トランジスタに接続されたＬＥＤ列における開放故障を検出する開放故障検出回路と、この開放故障検出回路による故障検出出力に応答して上記カレントミラー回路の電流通路を切換える電流切換回路と、を備えたことを特徴とする。
【発明の効果】
【０００６】
この発明によれば、基準列の開放故障を検出して正常なＬＥＤ列を基準列とし、あるいは正常な基準列トランジスタを切換えるようにしたことにより、基準列トランジスタの駆動は確保され、従って仮に開放故障が生じたとして故障列を除いてすべてのＬＥＤ列のＬＥＤが点灯され得る。
【発明を実施するための最良の形態】
【０００７】
以下、図１乃至図６を参照して本発明の実施形態を説明する。なお、図１乃至図６において図７と同一部分には同符号を付す。  
〔第１実施形態〕
図１（ａ）に示すＬＥＤ駆動回路は、出力電圧可変電源であるＤＣ−ＤＣコンバータ回路１、ＬＥＤ列回路２、カレントミラー回路３を有する。このＤＣ−ＤＣコンバータ回路１は、入力電圧からＬＥＤ駆動用の電源電圧である出力電圧を得るものである。この場合、ＬＥＤ列２１に接続される基準列トランジスタ３１Ｔの接地抵抗３１Ｒから制御電圧を取り出し、ＬＥＤ列２１に流れる電流が一定になるように、言い換えれば接地抵抗３１Ｒの電圧降下分が一定になるように、この制御電圧にて出力電圧を制御する。
【０００８】
図２は、ＤＣ―ＤＣコンバータ回路１の内部回路例を簡略して示す。このＤＣ―ＤＣコンバータ回路１は、ＤＣ―ＤＣコンバータ用ＩＣ１１を内蔵し、この中で誤差アンプ１１１では基準電圧発生回路１１２の基準電圧と制御電圧との差を増幅しこの差電圧を比較器１１３に入力する。比較器１１３では、この差電圧と三角波発生回路１１４の三角波とを比較し、比較結果はＰＷＭ波形となりＦＥＴ駆動ドライバ１１５に出力してＦＥＴ１２をオンオフ制御する。このＦＥＴ１２のオンオフ動作によりＤＣ―ＤＣコンバータ回路１の出力電圧が制御電圧と対応した電圧になるように制御される。図１の接地抵抗３１Ｒの電圧を制御電圧とすることでＤＣ―ＤＣコンバータ回路１は、定電流源として動作する。このＤＣ―ＤＣコンバータ回路１の構成は、後述の第２実施形態での図３及び第３実施形態での図４（ａ）でのＤＣ―ＤＣコンバータ回路１でも同様である。
【０００９】
図１（ａ）に戻り、ＤＣ−ＤＣコンバータ回路１の出力電圧をＬＥＤ駆動用の電源電圧とするようなＬＥＤ列回路２には、この実施形態では３列のＬＥＤ列２１、２２、２３が例示され、その各列につき２個のＬＥＤが直列に接続されている。なお、直列に接続されるＬＥＤの個数及びＬＥＤ列の列数は、必要に応じて増大あるいは減少することができる。
カレントミラー回路３は、ＬＥＤ列回路２の各ＬＥＤ列２１、２２、２３に対応して接続される複数列３１、３２、３３を有し、この各列３１、３２、３３に対応してトランジスタ３１Ｔ、３２Ｔ、３３Ｔを有し、更にこのトランジスタ３１Ｔ、３２Ｔ、３３Ｔのエミッタに接続される同じ抵抗値の接地抵抗３１Ｒ、３２Ｒ、３３Ｒを有する。したがって、各ＬＥＤ列２１、２２、２３は、各トランジスタ３１Ｔ、３２Ｔ、３３Ｔに接続されることになる。ここで、トランジスタ３１Ｔは、そのコレクタベース間が短絡された基準列トランジスタであり、この基準列トランジスタ３１Ｔのベース（制御電極）は、他の列３２、３３のトランジスタ３２Ｔ、３３Ｔの各ベースに共通接続される。このため、各トランジスタ３１Ｔ、３２Ｔ、３３Ｔの各ベース電圧・電流が等しくなって各コレクタ電流が等しくなり、各ＬＥＤ列２１、２２、２３を一様に光らせることができる。また、基準列トランジスタ３１Ｔに接続される接地抵抗３１Ｒは、ＤＣ−ＤＣコンバータ１に接続され、前述のようにＤＣ−ＤＣコンバータ１に制御電圧が取り込まれる。
【００１０】
図１（ａ）に示すＬＥＤ駆動回路には、更に開放故障検出回路４及び電流切換回路５を有する。この開放故障検出回路４には、電圧比較器４１１、参照電圧回路４１２、状態保持回路４１３を有し、電圧比較器４１１の一入力端子の電圧はＬＥＤ列２１と基準列トランジスタ３１Ｔとの接続点より印加され、他の入力端子は参照電圧回路４１２の参照電圧が印加される。ここで、参照電圧は、基準列トランジスタ３１Ｔに一定電流が流れたときのトランジスタ３１Ｔ及び接地抵抗３１Ｒの電圧降下分に見合う電圧である。そして、ＬＥＤ列２１が故障なく正常でＬＥＤ列２１に接続される電圧比較器４１１の一入力端子に正常電圧が印加されている場合、電圧比較器４１１の出力は“Ｌ”となり、他方ＬＥＤ列２１が開放故障でこの一入力端子の電圧が低下した場合、電圧比較器４１１の出力は“Ｈ”となる。そして、開放故障時この電圧比較器４１１の出力が“Ｈ”となったとき、状態保持回路４１３ではその“Ｈ”状態を保持し、電流切換回路５を駆動する。なお、図１（ｂ）は、図１（ａ）に示す開放故障検出回路４の具体的な回路ブロックを示すものであり、電圧比較器４１１はコンパレータ回路、状態保持回路４１３はＤタイプフリップフロップとしている。
【００１１】
電流切換回路５は、スイッチング手段であり、前述の状態保持回路４１３の“Ｈ”出力によってスイッチが閉成するようになっている。そして、この電流切換回路５は、一方で抵抗器Ｒｃを介して、ＬＥＤ列回路２へ電流を供給するＤＣ−ＤＣコンバータ回路１の出力電圧ラインに接続され、他方でカレントミラー回路３の基準列トランジスタ３１ＴとＬＥＤ列２１との接続点に接続されている。この電流切換回路５に状態保持回路４１３からの“Ｈ”信号が入力された場合、スイッチの閉成によってＤＣ−ＤＣコンバータ回路１の出力電圧と基準列トランジスタ３１Ｔとがつながり、抵抗器Ｒｃを介して基準列トランジスタ３１Ｔが通電するので、トランジスタ３２、３３のベース電流も供給され、開放故障によってＬＥＤ列２１が消灯しても他のＬＥＤ列２２、２３は点灯を維持する。なお、抵抗器Ｒｃは、ＬＥＤ列２１に替って電力消費を負担する。電流切換回路５の内部は、この例では２個のトランジスタ５１、５２から構成されるが、スイッチング手段としてみれば接合型トランジスタを１個備えてもよく、あるいはＦＥＴにて構成してもよく、種々のスイッチング手段を適用することができる。
【００１２】
このようにして、ＬＥＤ列回路２のＬＥＤ列２１に開放故障が生じた場合、参照電圧回路４１２の参照電圧が相対的に大きくなって電圧比較器４１１から“Ｈ”出力が生じ、状態保持回路４１３を通じて電流切換回路５を駆動し、スイッチング手段を閉成し、ＤＣ−ＤＣコンバータ回路１の出力電圧を抵抗器Ｒｃを介して基準列トランジスタ３１Ｔに加え、この基準列トランジスタ３１Ｔの通電を維持して、他のＬＥＤ列２２、２３の点灯を維持することができる。また、ＬＥＤ列２１の開放故障が解消した場合には、ＤＣ−ＤＣコンバータ回路１をオフすることで、正常なＬＥＤ駆動回路に復旧させることができる。
〔第２実施形態〕
図３は、ＬＥＤ駆動回路の第２実施形態を示す。図３において、ＤＣ−ＤＣコンバータ回路１、ＬＥＤ列回路２、カレントミラー回路３の構成は、第１実施形態と同じであり、開放故障検出回路４及び電流切換回路５の構成が異なる。この図３において、開放故障検出回路４には、個別開放故障検出回路４１、４２及びＡＮＤ回路４３が内蔵される。そして、この個別開放故障検出回路４１、４２それぞれは、第１実施形態において図１（ａ）（ｂ）で説明した電圧比較器４１１、参照電圧回路４１２、状態保持回路４１３を内蔵する。また、電流切換回路５は、ＬＥＤ列回路２の各ＬＥＤ列２１、２２、２３あるいはカレントミラー回路３の各列３１、３２、３３に対応するスイッチＳＷ１、ＳＷ２、ＳＷ３を有し、これらＬＥＤ列回路２とカレントミラー回路３との間に介在される。スイッチＳＷ１は、基準列トランジスタ３１Ｔに共通端子ａが接続された切換スイッチであり、このスイッチＳＷ１の切換端子ｂはＬＥＤ列２１に接続され、切換端子ｃはスイッチＳＷ２の切換端子ｃに接続されている。また、スイッチＳＷ２は、ＬＥＤ列２２に共通端子ａが接続された切換スイッチであり、このスイッチＳＷ２の切換端子ｂはトランジスタ３２Ｔに接続される。更に、スイッチＳＷ３は、トランジスタ３３Ｔのコレクタとベースとを短絡しあるいは切り離すオンオフスイッチであり、スイッチＳＷ３のオンにてトランジスタ３３Ｔは基準列トランジスタとなり得る。なお、この実施形態においては、基準列トランジスタが３１Ｔの場合と３３Ｔの場合があるが、そのために接地抵抗３１Ｒの一端のみならず３３Ｒの一端もダイオード３１Ｄ，３３Ｄを介してＤＣ−ＤＣコンバータ回路１に接続される。
【００１３】
かかる開放故障検出回路４及び電流切換回路５の接続状態を述べる。個別開放故障検出回路４１にあって、電圧比較器４１１の一入力端子ＡはＬＥＤ列２１と電流切換回路５のスイッチＳＷ１の切換端子ｂとの間に接続され、状態保持回路４１３の出力端子Ｃは、スイッチＳＷ１、ＳＷ２に接続されてこれらの制御端子となる。個別開放故障検出回路４２内にも図示省略するが電圧比較器、参照電圧回路、及び状態保持回路が存在し、この個別開放故障検出回路４２内の電圧比較器の一入力端子Ｂは、ＬＥＤ列２２と電流切換回路５のスイッチＳＷ２の共通端子ａとの間に接続され、個別開放故障検出回路４２内の状態保持回路の出力端子は、ＡＮＤ回路４３の一入力端子に接続されている。ここで、ＡＮＤ回路４３の他の入力端子は、個別開放故障検出回路４１の状態保持回路４１３の出力端子Ｃに接続され、このＡＮＤ回路４３の出力端子Ｄは電流切換回路５のスイッチＳＷ３に接続されこの制御端子となる。
【００１４】
ここで、スイッチＳＷ１、ＳＷ２それぞれは、基準列のＬＥＤ列２１の開放故障が生じ個別開放故障検出回路４１の電圧比較器４１１に異常電圧が入力されたとき、状態保持回路４１３の“Ｈ”出力によって切換端子ｂから切換端子ｃに同時に切換えられ、開放故障が生じたＬＥＤ列２１を切り離し正常なＬＥＤ列２２を基準列トランジスタ３１Ｔに接続する。したがって、この場合、スイッチＳＷ１とＳＷ２との同時切換にてＬＥＤ列２２に接続された基準列トランジスタ３１Ｔのベース電流及びトランジスタ３３Ｔのベース電流が流れ、ＬＥＤ列２１を除いたＬＥＤ列２２及びＬＥＤ列２３の点灯が維持される。なお、ＬＥＤ列２１は故障なくＬＥＤ列２２が開放故障した場合には、スイッチの切換はなくＬＥＤ列２２が消灯するのみである。
【００１５】
以上の状態は、開放故障のあったＬＥＤ列２１を切り離して正常なＬＥＤ列２２を基準列トランジスタ３１Ｔに接続するものである。図３では、更にＬＥＤ列２２に開放故障が生じた場合も手当てしており、新たな基準列のＬＥＤ列２２の開放故障が生じ個別開放故障検出回路４２の電圧比較器に入力端子Ｂより異常電圧が入力されたとき、個別開放故障検出回路４１の状態保持開路４１３及び個別開放故障検出回路４２のそれぞれの状態保持回路の“Ｈ”出力によってＡＮＤ回路４３より出力端子ＤからＡＮＤ出力“Ｈ”が出力され、スイッチＳＷ３をオンする。この状態ではトランジスタ３３Ｔが基準列トランジスタとなり、図３では３列のＬＥＤ列及びトランジスタを図示するのみであるが、更に他の多くのＬＥＤ列及びトランジスタが存在する場合には、この基準列トランジスタ３３Ｔによって他のトランジスタ（図示省略）が駆動され得る。
【００１６】
なお、図３の例では、ＬＥＤ列２１の開放故障の場合ＬＥＤ列２２を基準列トランジスタ３１Ｔに接続し、ＬＥＤ列２２も開放故障した場合、トランジスタ３３Ｔを基準列トランジスタにしたものである。この実施形態では更に厚い手当てをして、ＬＥＤ列２１の開放故障の場合ＬＥＤ列２２を基準列トランジスタ３１Ｔに接続し、ＬＥＤ列２２も開放故障した場合他のＬＥＤ列（図示省略）を基準列トランジスタ３１Ｔに接続し、このＬＥＤ列も開放故障した場合、トランジスタ３３Ｔを基準列トランジスタにするようにしても良い。なおこの場合は、スイッチ及び個別開放故障検出回路が更に一つずつ増えることになる。
【００１７】
このようにして、基準列トランジスタの通電を維持しベース電流を流すことにより開放故障したＬＥＤ列を除いて他のＬＥＤ列の点灯は確保される。
〔第３実施形態〕
図４（ａ）は第３実施形態を示す。この第３実施形態は、ＬＥＤ列回路２のＬＥＤ列２１の開放故障のみならず基準列トランジスタ３１Ｔを含む基準列３１での開放故障にも対応させたものである。図４（ａ）において、ＤＣ−ＤＣコンバータ回路１、ＬＥＤ列回路２、カレントミラー回路は、第１及び第２実施形態のものと同じである。また、開放故障検出回路４の構造も一部を除き第２実施形態を示す図２の構造と同じである。更に電流切換回路５のスイッチＳＷ１、ＳＷ２、ＳＷ３は第２実施形態を示す図３のＳＷ３と同じ構成である。なお、カレントミラー回路３のトランジスタ３１Ｔ、３２Ｔ、３３Ｔはすべて基準列トランジスタとなり得るので、それらの接地抵抗３１Ｒ、３２Ｒ、３３Ｒの各一端はダイオード３１Ｄ、３２Ｄ、３３Ｄを介してＤＣ−ＤＣコンバータ回路１に接続される。
【００１８】
ここで開放故障検出回路４内にあって、各個別開放故障検出回路４１、４２の電圧比較器４１１および参照電圧回路４１２では、ＬＥＤ列側の開放故障とトランジスタ側の開放故障とを区別するため故障電圧の範囲が設定されている。すなわち、例えばＬＥＤ列２１にて開放故障が生じた場合の電圧比較器４１１の入力電圧は接地電圧に近く、トランジスタ３１Ｔ側にて開放故障が生じた場合の電圧比較器４１１の入力電圧はＬＥＤ列２１の電圧降下分がなくなってＤＣ−ＤＣコンバータ回路１の出力電圧となる。したがって、電圧比較器４１１としては、この高い出力電圧よりＬＥＤ列２１の電圧降下分だけ低い正常電圧の範囲を除いて、その範囲よりも出力電圧側に高くなり、あるいは低くなって接地電圧に近づいた場合を異常電圧として比較し検出する必要がある。そしてこのために、参照電圧回路４１２の電圧も正常電圧の範囲を除き高い参照電圧あるいは低い参照電圧が設定される。こうして、個別開放故障検出回路４１は、ＬＥＤ列２１の開放故障及びトランジスタ３１Ｔ側の開放故障の双方の故障検出を行うことができる。なお、図４（ｂ）は、図４（ａ）に示す個別開放故障検出回路４１、４２の具体的な回路ブロックを示すものであり、参照電圧回路４１２及び電圧比較器４１１が2個ずつ内蔵されているのは、上記正常電圧の範囲より高い参照電圧あるいは低い参照電圧に対応させたものである。
【００１９】
電流切換回路５のスイッチＳＷ１、ＳＷ２は、スイッチＳＷ３と同様にそれぞれトランジスタ３１Ｔのコレクタベース間、トランジスタ３２Ｔのコレクタベース間を、短絡しあるいは切り離すオンオフスイッチである。そして、このスイッチＳＷ１、ＳＷ２には状態保持回路４１３の出力端子が接続される。
ＬＥＤ列２１及びトランジスタ３１Ｔ側に開放故障が生じた場合、個別開放故障検出回路４１の電圧比較器４１１から故障を示す“Ｈ”信号が出力され、状態保持回路４１３からスイッチＳＷ１、ＳＷ２に同時に制御信号がでてスイッチＳＷ１をオフしスイッチＳＷ２をオンする。この状態では、スイッチＳＷ２のオンによりトランジスタ３２Ｔのコレクタベース間が短絡されトランジスタ３２Ｔは基準列トランジスタとなる。こうして、基準列は、ＬＥＤ列２１及びトランジスタ３１Ｔから、ＬＥＤ列２２及びトランジスタ３２Ｔに移る。
【００２０】
更に、このＬＥＤ列２２及びトランジスタ３２Ｔ側に開放故障が生じた場合、個別開放故障検出回路４２の状態保持回路からの制御信号にてＡＮＤ回路４３からスイッチＳＷ３への制御信号が出力されてスイッチＳＷ３をオンし、ＬＥＤ列２３及びトランジスタ３３Ｔに基準列が移る。図４（ａ）では３列のＬＥＤ列及びトランジスタを図示するのみであるが、スイッチ及び個別開放故障検出回路をＬＥＤ列ごとに増すことができる。
このようにして開放故障があったＬＥＤ列及びトランジスタを含む基準列を切換えて開放故障にかかるＬＥＤ列を除き他のＬＥＤ列の点灯を維持することができる。
【００２１】
上記第２実施形態及び第３実施形態の説明において、開放故障検出回路４内ではＡＮＤ回路４３を用いた。しかし、このＡＮＤ回路４３の代わりに図５に示すようなＲＯＭ４０を用いスイッチＳＷ１、ＳＷ２、ＳＷ３を制御することも可能である。
更に、上記第１、第２、第３実施形態では、カレントミラー回路３で接合型トランジスタを用いた例を示しているが、この接合型トランジスタの代わりに図６に示すようなＦＥＴを用いることも可能である。なお、特許請求の範囲にてトランジスタの概念は、接合型、及び電界効果型の双方を含む。
【図面の簡単な説明】
【００２２】
【図１】本発明の第１実施形態を示す回路構成図である。
【図２】ＤＣ−ＤＣコンバータ回路の内部回路構成図である。
【図３】本発明の第２実施形態を示す回路構成図である。
【図４】本発明の第３実施形態を示す回路構成図である。
【図５】ＲＯＭを用いた開放故障検出回路を例示するブロック図である。
【図６】カレントミラー回路にＦＥＴを用いた場合の回路構成図である。
【図７】従来のＬＥＤ駆動回路を例示する回路構成図である。
【図１】
0004669382.tif 000002
【図２】
0004669382.tif 000003
【図３】
0004669382.tif 000004
【図４】
0004669382.tif 000005
【図５】
0004669382.tif 000006
【図６】
0004669382.tif 000007
【図７】
0004669382.tif 000008